(57)【要約】【課題】自動取引装置によって顧客の個人記録を通帳に印刷することを可能にして顧客の利便性を向上させる手段を提供する。【解決手段】通帳への印刷を行う印刷部を備えた自動取引装置において、個人記録を記録するか否かを選択可能に表示し、記録することが選択された場合に個人記録を通帳に印刷する。【選択図】        図３
2015060577.tif 000002
【特許請求の範囲】
【請求項１】
通帳への印刷を行う印刷部を備えた自動取引装置において、
個人記録を記録するか否かを選択可能に表示し、記録することが選択された場合に前記個人記録を通帳に印刷することを特徴とする自動取引装置。
【請求項２】
請求項１に記載の自動取引装置において、
撮影部を設け、
前記個人記録として、前記撮影部で計測した身長を印刷することを特徴とする自動取引装置。
【請求項３】
請求項１または請求項２に記載の自動取引装置において、
掌生体情報取得部を設け、
前記個人記録として、前記掌生体情報取得部で取得した手形を印刷することを特徴とする自動取引装置。
【請求項４】
請求項１ないし請求項３のいずれか一項に記載の自動取引装置において、
前記個人記録として、顧客が入力した記録文言を印刷することを特徴とする自動取引装置。
【請求項５】
請求項１ないし請求項４のいずれか一項に記載の自動取引装置において、
上位装置と接続可能に構成し、
前記個人記録の次回の記録時期と通知先の入力を受付け、
前記次回の記録時期と通知先とを、前記上位装置に登録することを特徴とする自動取引装置。
【請求項６】
請求項１ないし請求項５のいずれか一項に記載の自動取引装置において、
前記個人記録を、取引履歴の印刷色とは異なる色で印刷することを特徴とする自動取引装置。
【請求項７】
請求項１ないし請求項６のいずれか一項に記載の自動取引装置において、
前記個人記録を、取引履歴の印刷行の次行以降に印刷することを特徴とする自動取引装置。
【請求項８】
請求項１ないし請求項５のいずれか一項に記載の自動取引装置において、
前記通帳に、個人記録の専用ページを設け、
前記個人記録を、前記専用ページにまとめて印刷することを特徴とする自動取引装置。
【請求項９】
請求項１ないし請求項５のいずれか一項に記載の自動取引装置において、
前記個人記録を、前記通帳の見返しの余白部分にまとめて印刷することを特徴とする自動取引装置。
【発明の詳細な説明】
【技術分野】
【０００１】
本発明は、金融機関に設置された現金自動預払機等の自動取引装置に関し、特に、顧客の個人記録等を通帳に記録することが可能な自動取引装置に関する。
【背景技術】
【０００２】
一般に、子供や孫等の子孫（以下、子供等という）が生まれた際に、子供等名義の口座を開設して、その子供等の将来のために預金をし、子供等が就職や結婚等により親元を離れる際に、通帳等を祝い金として子供等に手渡すことが行われている。
このような場合に従来技術では、子供等の成長に合わせて撮影された写真等の個人画像を記念として通帳に残しておきたいとの要望がある場合に、金融機関の営業店窓口に、パーソナルコンピュータとイメージスキャナとプリンタとを接続した通帳印刷システムを設置し、顧客が持参した写真等の個人画像をイメージスキャナで読取って、または顧客が持参したＵＳＤメモリや光ディスク、デジタルカメラに保存された画像データを読取って、その個人画像を通帳の表紙や見返しにカラー印刷して顧客の要望に応えている（例えば、特許文献１参照。）。
【先行技術文献】
【特許文献】
【０００３】
【特許文献１】特開２０１２−１５０８３５号公報（段落０００７、００１３、００１４、００２７−００４５、第１図、第５図、第８図）
【発明の概要】
【発明が解決しようとする課題】
【０００４】
しかしながら、上述した従来の技術においては、顧客が営業店窓口に写真や画像データを持参して手続をすることが必要であるため、顧客が写真や画像データを持参しなかった場合や、営業店窓口を利用せずに現金自動預払機によって通帳を用いた取引を行った場合には、通帳に個人画像等を印刷することができず、顧客の利便性が低下するという問題がある。
本発明は、上記の問題点を解決するためになされたもので、自動取引装置によって顧客の個人記録を通帳に印刷することを可能にして顧客の利便性を向上させる手段を提供することを目的とする。
【課題を解決するための手段】
【０００５】
本発明は、上記課題を解決するために、通帳への印刷を行う印刷部を備えた自動取引装置において、個人記録を記録するか否かを選択可能に表示し、記録することが選択された場合に前記個人記録を通帳に印刷することを特徴とする。
【発明の効果】
【０００６】
これにより、本発明は、自動取引装置での通帳を用いた取引中に、顧客が個人記録を記録することを選択すれば、その個人記録を通帳に記録日と共に記録することが可能となり、顧客の利便性を向上させることができると共に、自動取引装置を用いた取引における商品価値の向上を図ることができるという効果が得られる。
【図面の簡単な説明】
【０００７】
【図１】実施例１の現金自動預払機を示すブロック図
【図２】実施例１の現金自動預払機を示す外観図
【図３】実施例１の個人記録印刷処理を示すフローチャート
【図４】実施例１の成長記録要否選択画面の表示例を示す説明図
【図５】実施例１の身長計測誘導画面の表示例を示す説明図
【図６】実施例１の身長計測時の子供等の立ち位置を示す説明図
【図７】実施例１の身長計測スケールの構成例を示す説明図
【図８】実施例１の計測結果確認画面の表示例を示す説明図
【図９】実施例１の通帳への印刷例を示す説明図
【図１０】実施例２の現金自動預払機を示すブロック図
【図１１】実施例２の現金自動預払機を示す外観図
【図１２】実施例２の個人記録印刷処理を示すフローチャート
【図１３】実施例２の手形撮影誘導画面の表示例を示す説明図
【図１４】実施例２の撮影結果確認画面の表示例を示す説明図
【図１５】実施例２の通帳への印刷例を示す説明図
【図１６】実施例３の現金自動預払機を示すブロック図
【図１７】実施例３の個人記録印刷処理を示すフローチャート
【図１８】実施例３の記録文言入力画面の表示例を示す説明図
【図１９】実施例３の入力内容確認画面の表示例を示す説明図
【図２０】実施例３の通帳への印刷例を示す説明図
【図２１】実施例４の個人記録印刷処理を示すフローチャート
【図２２】実施例４の次回案内要否選択画面の表示例を示す説明図
【図２３】実施例４の次回通知時期選択画面の表示例を示す説明図
【図２４】実施例４の通知先入力画面の表示例を示す説明図
【図２５】実施例４の受付内容確認画面の表示例を示す説明図
【図２６】通帳への他の印刷例を示す説明図
【図２７】通帳への他の印刷例を示す説明図
【図２８】通帳への他の印刷例を示す説明図
【図２９】通帳への他の印刷例を示す説明図
【発明を実施するための形態】
【０００８】
以下に、図面を参照して本発明による自動取引装置の実施例について説明する。
【実施例１】
【０００９】
以下に、図１ないし図９を用いて本実施例の現金自動預払機について説明する。
図１、図２において、１は自動取引装置としての現金自動預払機であり、銀行等の金融機関の支店やコンビニエンスストア等の営業店に設置され、顧客との間での取引を自動で行う。
２は金融機関のセンタに設置された上位装置としてのホストコンピュータであり、営業店に設置されている現金自動預払機１と専用回線や電話回線等の通信回線３を介して接続しており、口座開設者である顧客を個別に識別するための顧客識別子としての顧客ＩＤ（本実施例では顧客の口座の口座番号）に対応させて顧客の口座の金融機関名、店番号、口座番号、口座科目等の口座情報やその暗証番号、口座残高等の顧客情報を保有して顧客の口座を管理する。
【００１０】
５は現金自動預払機１の主制御部であり、通信回線３を介してホストコンピュータ２と接続しており、現金自動預払機１内の各部を制御して取引処理等を実行すると共にデータ通信等も制御する。
６は記憶部であり、主制御部５が実行するプログラムやそれに用いる各種のデータおよび主制御部５による処理結果等が格納される。
７は操作表示部であり、ＬＣＤ等の表示画面７ａとタッチパネル等の入力手段との組合せで構成されており、操作パネル１ａに設けられた表示画面７ａに取引選択画面や各種の入力画面、顧客の処置を促す誘導画面等を表示する他、入力手段により顧客からの入力を受付ける。
【００１１】
８はカード取扱部であり、カード挿入口８ａから挿入された顧客のキャッシュカードやクレジットカード等の取引カードの磁気ストライプやＩＣチップ等に記録されている取引カードの所有者を示す顧客ＩＤや顧客の口座情報等のカード情報を読み書きする機能を有すると共に明細票等に取引内容等を印刷する機能を有している。
９は通帳取扱部であり、通帳挿入口９ａから挿入された顧客の通帳Ｐの磁気ストライプやＩＣチップ等に記録されている通帳Ｐの所有者を示す顧客ＩＤや顧客の口座情報等の通帳情報を読み書きする機能を有すると共に、印刷ヘッドおよびこれに対向して設けられたプラテン等を有する印刷部としてのプリンタを備えており、取引日付や取引内容、所定の事項等の取引履歴を顧客の通帳Ｐにモノクロで印刷する機能を有している。
【００１２】
１０は紙幣取扱部であり、入金取引時等に操作パネル１ａに設けられた紙幣入出金口１０ａによって顧客が投入した紙幣を受入れ、これを鑑別および計数して収納庫に収納し、出金取引時等に収納庫から顧客に支払う紙幣を繰出し、これを計数して紙幣入出金口１０ａから排出して顧客に引渡す機能を有している。
１１は硬貨取扱部であり、入金取引時等に操作パネル１ａに設けられた硬貨入出金口１１ａによって顧客が投入した硬貨を受入れ、これを鑑別および計数して収納庫に収納し、出金取引時等に収納庫から顧客に支払う硬貨を繰出し、これを計数して硬貨入出金口１１ａから排出して顧客に引渡す機能を有している。
【００１３】
１５は撮影部であり、現金自動預払機１の前面に顧客と対向して設置され、ＣＣＤ（Ｃｈａｒｇｅ  Ｃｏｕｐｌｅｄ  Ｄｅｖｉｃｅ）等の複数の画素により顧客の上半身等の画像を撮影するカメラを備えており、カメラで撮影した取引を行う顧客の顔画像等を記録しておく監視装置として機能する他、撮影画像を用いた人物認識の画像処理によって顧客等の挙動を認識する機能等を有している。
【００１４】
上記の現金自動預払機１の記憶部６には、顧客が選択した取引の入力を受付け、これを基にホストコンピュータ２と交信して顧客との取引処理を自動で行う機能等を有する通常の取引処理プログラムに、図３を用いて説明する個人記録印刷処理を行う機能を有するアプリケーションプログラム等が追加された業務処理実行プログラムが予め格納されており、主制御部５が実行する業務処理実行プログラムのステップにより本実施例の現金自動預払機１の各機能手段が形成される。
【００１５】
また、記憶部６には、撮影部１５で撮影された人物の身長を計測するときに、画像フレーム１５ａ（図７参照）内に撮影された基準位置１６（本実施例では、現金自動預払機１の操作パネル１ａと前面パネル１ｂとの角部（図２参照））を基準にして、撮影された人物等の画像の床面からの高さを自動計測するための目盛が付された身長計測スケールが予め設定されて格納されている。
ホストコンピュータ２には、現金自動預払機１と交信して本人認証や顧客の口座の入出金を管理する機能等を有する通常の勘定方管理プログラムが予めインストールされており、ホストコンピュータ２が実行する勘定方管理プログラムのステップにより本実施例のホストコンピュータ２の各機能手段が形成される。
【００１６】
以下に、図３に示すフローチャートを用い、Ｓで示すステップに従って、本実施例の個人記録印刷処理について説明する。
なお、以下の説明においては、通帳Ｐに、個人記録としての、顧客の子供等の成長記録を印刷する場合について、通帳Ｐを用いた入金取引を例に説明する。
金融機関の営業店の係員が、始業時等に現金自動預払機１へ電源を投入すると、現金自動預払機１の記憶部６に格納されている業務処理実行プログラムが自動的に起動される。
【００１７】
Ｓ１：業務処理実行プログラムが起動すると、現金自動預払機１の主制御部５は、業務処理実行プログラムにより、その操作表示部７の表示画面７ａに取引選択画面を表示して待機する。
取引選択画面には、取引選択ボタンの押下を促す旨の文言と出金取引のための「お引き出し」ボタンおよび入金取引のための「お預け入れ」ボタン、振込取引のための「お振り込み」ボタン、口座残高を照会する残高照会取引のための「残高照会」ボタン、通帳Ｐに未記入の取引データを印刷する通帳記帳取引のための「通帳記帳」ボタン等の取引を選択するための取引選択ボタンが表示される。
本実施例では、顧客は、通帳Ｐを用いる入金取引を選択し、操作表示部７の表示画面７ａからタッチパネルによって「お預け入れ」ボタンを押下する。
【００１８】
Ｓ２：顧客の選択した取引をタッチパネルからの出力信号等により入金取引と認識した主制御部５は、操作表示部７の表示画面７ａに通帳Ｐの挿入を促す旨の文言等を表示した通帳挿入依頼画面を表示し、顧客はこれに従って通帳Ｐを通帳取扱部９の通帳挿入口９ａに挿入し、これを検知した主制御部５は、通帳取扱部９によって通帳Ｐに記録されている顧客ＩＤや口座情報等の通帳情報を読取り、読取った通帳情報を記憶部６に一時保存する。
Ｓ３：通帳情報を読取った主制御部５は、操作表示部７の表示画面７ａに、現金（紙幣および硬貨）の投入を促す旨の文言等を表示した現金投入依頼画面を表示する。顧客は、入金する現金を紙幣入出金口１０ａおよび／もしくは硬貨入出金口１１ａへ投入する。
【００１９】
Ｓ４：現金が投入されたことを検知した主制御部５は、紙幣入出金口１０ａおよび／もしくは硬貨入出金口１１ａに投入された現金の現金取込処理を実行する。
すなわち、主制御部５は、紙幣入出金口１０ａおよび／もしくは硬貨入出金口１１ａに投入された紙幣および／もしくは硬貨を１枚毎に繰出してその金種別の枚数を計数し、これをそれぞれの図示しない一時保留部に一時保留して投入された現金の合計金額を算出する。
Ｓ５：投入された現金の合計金額を算出した主制御部５は、操作表示部７の表示画面７ａに、算出した合計金額と、入金金額の確認を指示するための「確認」ボタン等を表示した入金金額確認画面を表示する。顧客は入金金額が正しいことを確認して「確認」ボタンを押下する。
【００２０】
Ｓ６：「確認」ボタンの押下により入金金額が確定されたことを認識した主制御部５は、操作表示部７の表示画面７ａに、通帳Ｐに子供等の成長記録を記録することの要否を選択するための図４に示す成長記録要否選択画面を表示する。
成長記録要否選択画面には、子供等の成長記録を記録するか否かを問合せる旨の文言およびその要否の選択方法の説明文言と、成長記録を印刷することを指示するための「はい」ボタンおよび成長記録を印刷しないことを指示するための「いいえ」ボタン等が表示され、顧客は、成長記録の印刷を必要とするときは「はい」ボタンを、成長記録の印刷を不要とするときは「いいえ」ボタンを選択して押下する。
【００２１】
Ｓ７：成長記録要否選択画面に表示した選択ボタンの押下を認識した主制御部５は、押下された選択ボタンが「はい」ボタンの場合は、成長記録の印刷を必要と認識してステップＳ８へ移行する。押下された選択ボタンが「いいえ」ボタンの場合は、成長記録の印刷を不要と認識してステップＳ１２へ移行する。
Ｓ８：成長記録を印刷することを認識した主制御部５は、操作表示部７の表示画面７ａに、子供等の成長記録として子供等の身長を記録するために、その身長を自動計測するときの立ち位置の説明文言等を表示した図５に示す身長計測誘導画面を表示する。顧客は、表示された説明文言に従って、図６に示すように、子供等を現金自動預払機１側に立たせて前後に並ぶように現金自動預払機１の前に立ち、撮影部１５による撮影を待って待機する。
【００２２】
Ｓ９：身長計測誘導画面を表示した主制御部５は、撮影部１５による子供等の身長自動計測処理を行う。
すなわち、主制御部５は、身長計測誘導画面後に、撮影部１５によって人物認識の画像処理により顧客や子供等の挙動を監視し、顧客が子供等を前にして現金自動預払機１の前に立ち、子供等が静止したときに、図７に示すように、画像フレーム１５ａ内に基準位置１６を含むように画像を撮影し、記憶部６の身長計測スケールによって、撮影した画像の子供等の頭頂部の高さを算出し、これを子供等の身長として計測する。
【００２３】
Ｓ１０：子供等の身長を計測した主制御部５は、操作表示部７の表示画面７ａに図８に示す計測結果確認画面を表示する。
計測結果確認画面には、子供等の身長の計測結果と、身長の計測結果を了承したことを指示するための「はい」ボタンおよび身長計測のやり直しを指示するための「いいえ」ボタン等が表示され、顧客は、身長の計測結果を了承するときは「はい」ボタンを、身長計測をやり直すときは「いいえ」ボタンを選択して押下する。
【００２４】
Ｓ１１：計測結果確認画面に表示した選択ボタンの押下を認識した主制御部５は、押下された選択ボタンが「はい」ボタンの場合は、身長の計測結果が了承されたことを認識し、その計測結果を記憶部６に保存してステップＳ１２へ移行する。押下された選択ボタンが「いいえ」ボタンの場合は、身長計測のやり直しを認識してステップＳ８へ戻り、子供等の身長を再計測する。
Ｓ１２：上記ステップＳ７で、入金金額が確定された後に成長記録の印刷を不要と認識した、またはステップＳ１１で、身長の計測結果が了承されたことを認識した主制御部５は、ホストコンピュータ２との間で入金取引の交信処理を行う。
【００２５】
すなわち、主制御部５は、通帳の通帳情報および確定された入金金額等を含む取引電文を通信回線３を介してホストコンピュータ２へ送信し、これを受信したホストコンピュータ２は、通帳情報の顧客ＩＤを基に顧客情報を検索して該当する顧客情報を特定し、その口座の口座残高に確定された入金金額を加えて顧客情報を更新し、顧客情報の更新を終えた旨の応答電文を送信元の現金自動預払機１へ通信回線３を介して送信する。応答電文を受信した現金自動預払機１の主制御部５は入金取引の交信処理を終了する。
【００２６】
Ｓ１３：入金取引の交信処理を終えた主制御部５は、確定された現金の現金収納処理を実行する。
すなわち、主制御部５は、それぞれの一時保留部に一時保留していた紙幣および／もしくは硬貨を一時保留部から繰出してそれぞれの収納庫へ搬送し、確定された現金を金種別に収納する。
【００２７】
Ｓ１４：確定された現金を収納した主制御部５は、図９に示すように、通帳取扱部９に挿入されている通帳Ｐに、今回の取引における取引日付（年月日）やその取引内容等の取引履歴を印刷すると共に、上記ステップＳ１１で記憶部６に身長の計測結果が保存されている場合は、身長の計測結果を取引履歴の印刷行の次の行に印刷する。
なお、身長の計測結果を印刷した場合は、印刷後に記憶部６に保存されている身長の計測結果は消去される。
【００２８】
Ｓ１５：通帳Ｐへの印刷を終えた主制御部５は、操作表示部７の表示画面７ａに通帳Ｐの受取りを促す旨の文言を表示した通帳受取依頼画面を表示し、通帳Ｐを通帳取扱部９の通帳挿入口９ａから排出して顧客に返却し、顧客の通帳Ｐの受取りを確認して入金取引を終了させ、ステップＳ１へ戻って操作表示部７の表示画面７ａに取引選択画面を表示して待機する。
このようにして、本実施例の入金取引における個人記録印刷処理が実行される。
【００２９】
上記のように、本実施例では、現金自動預払機１での通帳Ｐを用いた取引中に、顧客が子供等の成長記録を記録することを選択すれば、撮影部１５で自動計測した身長を通帳Ｐに計測日付と共に記録することが可能となり、顧客の利便性を向上させることができると共に、子供等の身長という成長をあらわす指標を通帳Ｐに残すことが可能となり、現金自動預払機１を用いた取引における商品価値の向上を図ることができる。
【実施例２】
【００３０】
以下に、図１０ないし図１５を用いて本実施例の現金自動預払機について説明する。なお上記実施例１と同様の部分は、同一の符号を付してその説明を省略する。
本実施例の現金自動預払機１には、図１０、図１１に示すように、掌生体情報取得部２１が設けられている。
掌生体情報取得部２１は、視野を操作パネル１ａに配置された入力部２１ａに対向させたカメラを備えており、ＣＣＤ等の複数の画素により顧客の掌の画像を撮影して顧客の生体認証に用いる生体情報を取得する機能を有する他、入力部２１ａにかざされた子供等の掌を撮影してその手形データを生成する機能等を有している。
【００３１】
本実施例の現金自動預払機１の記憶部６には、上記実施例１と同様の取引処理プログラムに、図１２を用いて説明する個人記録印刷処理を行う機能を有するアプリケーションプログラム等が追加された業務処理実行プログラムが予め格納されており、主制御部５が実行する業務処理実行プログラムのステップにより本実施例の現金自動預払機１の各機能手段が形成される。
本実施例のホストコンピュータ２には、上記実施例１と同様の勘定方管理プログラムが予めインストールされており、ホストコンピュータ２が実行する勘定方管理プログラムのステップにより本実施例のホストコンピュータ２の各機能手段が形成される。
【００３２】
以下に、図１２に示すフローチャートを用い、ＳＡで示すステップに従って、本実施例の個人記録印刷処理について、通帳Ｐを用いた入金取引を例に説明する。
本実施例のステップＳＡ１〜ＳＡ７の処理動作は、上記実施例１のステップＳ１〜Ｓ７の処理動作と同様であるので、その説明を省略する。
ＳＡ８：成長記録を印刷することを認識した主制御部５は、操作表示部７の表示画面７ａに、子供等の成長記録として子供等の手形を記録するために、その手形を撮影するときの撮影方法の説明文言等を表示した図１３に示す手形撮影誘導画面を表示する。顧客は、表示された説明文言に従って、子供等の掌を現金自動預払機１の掌生体情報取得部２１の入力部２１ａにかざし、掌生体情報取得部２１による撮影を待って待機する。
【００３３】
ＳＡ９：手形撮影誘導画面を表示した主制御部５は、掌生体情報取得部２１のカメラによって子供等の掌の画像を撮影し、その画像から手形データを生成する。
ＳＡ１０：子供等の手形データを生成した主制御部５は、操作表示部７の表示画面７ａに図１４に示す撮影結果確認画面を表示する。
撮影結果確認画面には、子供等の手形の撮影結果と、撮影結果を了承したことを指示するための「はい」ボタンおよび撮影のやり直しを指示するための「いいえ」ボタン等が表示され、顧客は、手形の撮影結果を了承するときは「はい」ボタンを、撮影をやり直すときは「いいえ」ボタンを選択して押下する。
【００３４】
ＳＡ１１：撮影結果確認画面に表示した選択ボタンの押下を認識した主制御部５は、押下された選択ボタンが「はい」ボタンの場合は、手形の撮影結果が了承されたことを認識し、その手形データを記憶部６に保存してステップＳＡ１２へ移行する。押下された選択ボタンが「いいえ」ボタンの場合は、手形撮影のやり直しを認識してステップＳＡ８へ戻り、子供等の手形を再撮影する。
ＳＡ１２：上記ステップＳＡ７で、入金金額が確定された後に成長記録の印刷を不要と認識した、またはステップＳＡ１１で、手形の撮影結果が了承されたことを認識した主制御部５は、ホストコンピュータ２との間で、上記実施例１のステップＳ１２と同様にして入金取引の交信処理を行う。
【００３５】
ＳＡ１３：入金取引の交信処理を終えた主制御部５は、上記実施例１のステップＳ１３と同様にして確定された現金の現金収納処理を実行する。
ＳＡ１４：確定された現金を収納した主制御部５は、図１５に示すように、通帳取扱部９に挿入されている通帳Ｐに、今回の取引における取引日付（年月日）やその取引内容等の取引履歴を印刷すると共に、上記ステップＳＡ１１で記憶部６に手形データが保存されている場合は、その手形データによる手形画像を取引履歴の印刷行の次の行以降に印刷する。
なお、手形画像を印刷した場合は、印刷後に記憶部６に保存されている手形データは消去される。
【００３６】
ＳＡ１５：通帳Ｐへの印刷を終えた主制御部５は、上記実施例１のステップＳ１５と同様にして表示画面７ａに通帳受取依頼画面を表示し、通帳Ｐを通帳挿入口９ａから排出して顧客に返却し、顧客の通帳Ｐの受取りを確認して入金取引を終了させ、ステップＳＡ１へ戻って取引選択画面を表示して待機する。
このようにして、本実施例の入金取引における個人記録印刷処理が実行される。
上記のように、本実施例では、現金自動預払機１での通帳Ｐを用いた取引中に、顧客が子供等の成長記録を記録することを選択すれば、掌生体情報取得部２１で撮影した手形画像を通帳Ｐに撮影日付と共に記録することが可能となり、顧客の利便性を向上させることができると共に、子供等の手形という成長をあらわす指標を通帳Ｐに残すことが可能となり、現金自動預払機１を用いた取引における商品価値の向上を図ることができる。
【実施例３】
【００３７】
以下に、図１６ないし図１９を用いて本実施例の現金自動預払機について説明する。なお上記実施例１と同様の部分は、同一の符号を付してその説明を省略する。
本実施例の現金自動預払機１構成は、図１６に示すように、上記実施例１の図１に示した現金自動預払機１の構成から撮影部１５が省略されている。
本実施例の現金自動預払機１の記憶部６には、上記実施例１と同様の取引処理プログラムに、図１７を用いて説明する個人記録印刷処理を行う機能を有するアプリケーションプログラム等が追加された業務処理実行プログラムが予め格納されており、主制御部５が実行する業務処理実行プログラムのステップにより本実施例の現金自動預払機１の各機能手段が形成される。
【００３８】
本実施例のホストコンピュータ２には、上記実施例１と同様の勘定方管理プログラムが予めインストールされており、ホストコンピュータ２が実行する勘定方管理プログラムのステップにより本実施例のホストコンピュータ２の各機能手段が形成される。
以下に、図１７に示すフローチャートを用い、ＳＢで示すステップに従って、本実施例の個人記録印刷処理について、通帳Ｐを用いた入金取引を例に説明する。
本実施例のステップＳＢ１〜ＳＢ７の処理動作は、上記実施例１のステップＳ１〜Ｓ７の処理動作と同様であるので、その説明を省略する。
【００３９】
ＳＢ８：成長記録を印刷することを認識した主制御部５は、操作表示部７の表示画面７ａに、子供等の成長記録として記録文言を入力するための、図１８に示す記録文言入力画面を表示する。
記録文言入力画面には、記録すべき文言の入力を促す旨の文言およびその表示欄と、記録文言を入力するための平仮名、数字、濁点および句読点等の記号等の入力キー、入力の間違いを訂正するための「訂正」ボタン、および入力終了を指示するための「確認」ボタン等が表示される。顧客は入力キー等によって記録文言を入力して「確認」ボタンを押下する。
【００４０】
ＳＢ９：「確認」ボタンの押下により記録文言の入力終了を認識した主制御部５は、操作表示部７の表示画面７ａに、図１９に示す入力内容確認画面を表示する。
入力内容確認画面には、入力された記録文言と、表示内容を了承したことを指示するための「はい」ボタンおよび記録文言入力のやり直しを指示するための「いいえ」ボタン等が表示され、顧客は、表示内容を了承するときは「はい」ボタンを、入力をやり直すときは「いいえ」ボタンを選択して押下する。
【００４１】
ＳＢ１０：入力内容確認画面に表示した選択ボタンの押下を認識した主制御部５は、押下された選択ボタンが「はい」ボタンの場合は、表示内容が了承されたことを認識し、その記録文言の文字列を記憶部６に保存してステップＳＢ１１へ移行する。押下された選択ボタンが「いいえ」ボタンの場合は、記録文言入力のやり直しを認識してステップＳＢ８へ戻り、記録文言の再入力を受付ける。
ＳＢ１１：上記ステップＳＡ７で、入金金額が確定された後に成長記録の印刷を不要と認識した、またはステップＳＢ１０で、記録文言の表示内容が了承されたことを認識した主制御部５は、ホストコンピュータ２との間で、上記実施例１のステップＳ１２と同様にして入金取引の交信処理を行う。
【００４２】
ＳＢ１２：入金取引の交信処理を終えた主制御部５は、上記実施例１のステップＳ１３と同様にして確定された現金の現金収納処理を実行する。
ＳＢ１３：確定された現金を収納した主制御部５は、図２０に示すように、通帳取扱部９に挿入されている通帳Ｐに、今回の取引における取引日付（年月日）やその取引内容等の取引履歴を印刷すると共に、上記ステップＳＢ１０で記憶部６に記録文言の文字列が保存されている場合は、その文字列を取引履歴の印刷行の次の行に印刷する。
なお、記録文言を印刷した場合は、印刷後に記憶部６に保存されている記録文言の文字列は消去される。
【００４３】
ＳＢ１４：通帳Ｐへの印刷を終えた主制御部５は、上記実施例１のステップＳ１５と同様にして表示画面７ａに通帳受取依頼画面を表示し、通帳Ｐを通帳挿入口９ａから排出して顧客に返却し、顧客の通帳Ｐの受取りを確認して入金取引を終了させ、ステップＳＢ１へ戻って取引選択画面を表示して待機する。
このようにして、本実施例の入金取引における個人記録印刷処理が実行される。
上記のように、本実施例では、現金自動預払機１での通帳Ｐを用いた取引中に、顧客が子供等の成長記録を記録することを選択すれば、表示画面７ａに表示された記録文言入力画面から入力した記録文言を通帳Ｐに入力日付と共に記録することが可能となり、顧客の利便性を向上させることができると共に、子供等に対する記録文言という成長をあらわす指標を通帳Ｐに残すことが可能となり、現金自動預払機１を用いた取引における商品価値の向上を図ることができる。
【実施例４】
【００４４】
以下に、図２１ないし図２５を用いて本実施例の現金自動預払機について説明する。なお上記実施例１と同様の部分は、同一の符号を付してその説明を省略する。
本実施例の現金自動預払機１の構成は、上記実施例１の図１に示した現金自動預払機１の構成と同様である。
本実施例の現金自動預払機１の記憶部６には、上記実施例１と同様の取引処理プログラムに、図２１を用いて説明する個人記録印刷処理を行う機能を有するアプリケーションプログラム等が追加された業務処理実行プログラムが予め格納されており、主制御部５が実行する業務処理実行プログラムのステップにより本実施例の現金自動預払機１の各機能手段が形成される。
【００４５】
本実施例のホストコンピュータ２には、上記実施例１と同様の勘定方管理プログラムに、現金自動預払機１から受信した次回通知情報を基に、成長記録の記録時期が近づいたことを通知する機能を有するアプリケーションプログラム等が追加された業務実行プログラムが予めインストールされており、ホストコンピュータ２が実行する業務実行プログラムのステップにより本実施例のホストコンピュータ２の各機能手段が形成される。
以下に、図２１に示すフローチャートを用い、ＳＣで示すステップに従って、本実施例の個人記録印刷処理について、通帳Ｐを用いた入金取引を例に説明する。
本実施例のステップＳＣ１〜ＳＣ１４の処理動作は、上記実施例１のステップＳ１〜Ｓ１４の処理動作と同様であるので、その説明を省略する。
【００４６】
ＳＣ１５：通帳Ｐへの印刷を終えた主制御部５は、操作表示部７の表示画面７ａに、次回の子供等の成長記録を記録する時期の通知の要否を選択するための図２２に示す次回案内要否選択画面を表示する。
次回案内要否選択画面には、次回の子供等の成長記録を記録する時期を通知するか否かを問合せる旨の文言およびその要否の選択方法の説明文言と、次回記録時期を通知することを指示するための「はい」ボタンおよび次回記録時期を通知しないことを指示するための「いいえ」ボタン等が表示され、顧客は、次回記録時期の通知を必要するときは「はい」ボタンを、次回記録時期の通知を不要とするときは「いいえ」ボタンを選択して押下する。
【００４７】
ＳＣ１６：次回案内要否選択画面に表示した選択ボタンの押下を認識した主制御部５は、押下された選択ボタンが「はい」ボタンの場合は、次回記録時期の通知を必要と認識してステップＳＣ１７へ移行する。押下された選択ボタンが「いいえ」ボタンの場合は、次回記録時期の通知を不要と認識してステップＳＣ２２へ移行する。
ＳＣ１７：次回記録時期の通知を印刷することを認識した主制御部５は、操作表示部７の表示画面７ａに、次回記録の通知時期を選択するための、複数の選択ボタンを表示した図２３に示す次回通知時期選択画面を表示する。顧客は、表示された複数の選択ボタンの中から希望する通知時期を選択し、その選択ボタンを押下する。
【００４８】
ＳＣ１８：選択ボタンの押下により次回の通知時期を認識した主制御部５は、操作表示部７の表示画面７ａに、次回記録時期の通知先として顧客のメールアドレスを入力するための、図２４に示す通知先入力画面を表示する。
通知先入力画面には、通知先のメールアドレスの入力を促す旨の文言およびその表示欄と、記録文言を入力するための英文字、数字、記号等の入力キー、入力の間違いを訂正するための「訂正」ボタン、および入力終了を指示するための「確認」ボタン等が表示される。顧客は入力キー等によって通知先のメールアドレスを入力して「確認」ボタンを押下する。
【００４９】
ＳＣ１９：「確認」ボタンの押下により通知先の入力終了を認識した主制御部５は、操作表示部７の表示画面７ａに、図２５に示す受付内容確認画面を表示する。
受付内容確認画面には、選択された次回の通知時期および入力された通知先と、表示内容を了承したことを指示するための「はい」ボタンおよび通知時期等の入力のやり直しを指示するための「いいえ」ボタン等が表示され、顧客は、表示内容を了承するときは「はい」ボタンを、入力をやり直すときは「いいえ」ボタンを選択して押下する。
【００５０】
ＳＣ２０：受付内容確認画面に表示した選択ボタンの押下を認識した主制御部５は、押下された選択ボタンが「はい」ボタンの場合は、表示内容が了承されたことを認識し、その次回通知時期および通知先を記憶部６に保存してステップＳＣ２１へ移行する。押下された選択ボタンが「いいえ」ボタンの場合は、通知時期等の入力のやり直しを認識してステップＳＣ１７へ戻り、通知時期等の再入力を受付ける。
【００５１】
ＳＣ２１：受付内容確認画面に表示した次回通知時期とその通知先が了承されたことを認識した主制御部５は、記憶部６に保存した通帳情報、次回通知時期とその通知先等を含む次回通知情報を通信回線３を介してホストコンピュータ２へ送信し、これを受信したホストコンピュータ２は、通帳情報の顧客ＩＤを基に顧客情報を検索して該当する顧客情報を特定し、その顧客情報に受信した次回通知情報の次回通知時期とその通知先を登録し、次回通知時期が近づいたときに、その通知先宛に、子供等の成長記録の記録時期が近づいた旨の通知をメールで送信する。これにより、繁忙な顧客が次回の成長記録を記録することを失念しないようにすることが可能になる。
【００５２】
なお、現金自動預払機１の主制御部５が次回通知情報を送信した場合は、送信後に記憶部６に保存されている次回通知時期および通知先は消去される。また、ホストコンピュータ２が次回記録時期の通知メールで送信した場合は、送信後に顧客情報に登録された次回通知時期とその通知先は消去される。
ＳＣ２２：上記ステップＳＣ１６で、通帳Ｐへの印刷後に次回記録時期の通知を不要と認識した、またはステップＳＣ２１で、次回通知情報を送信した主制御部５は、上記実施例１のステップＳ１５と同様にして表示画面７ａに通帳受取依頼画面を表示し、通帳Ｐを通帳挿入口９ａから排出して顧客に返却し、顧客の通帳Ｐの受取りを確認して入金取引を終了させ、ステップＳＣ１へ戻って取引選択画面を表示して待機する。
【００５３】
このようにして、本実施例の入金取引における個人記録印刷処理が実行される。
上記のように、本実施例では、上記実施例１と同様の効果に加えて、次回の成長記録の記録時期が近づいたときに、その旨を顧客に通知するので、繁忙な顧客等が次回の成長記録の記録を失念することを未然に防止することができ、現金自動預払機１を用いた取引における商品価値の更なる向上を図ることができる。
【００５４】
なお、上記実施例１および実施例４では子供等の身長を成長記録として、実施例２では子供等の手形を成長記録として、実施例３では子供等への記録文言を成長記録として、通帳Ｐに記録する場合について説明したが、実施例１のステップＳ８、Ｓ９および実施例２のステップＳＡ８、ＳＡ９および実施例３のステップＳＢ８を順に組合せ、図５の身長計測誘導画面、図１３の手形撮影誘導画面および図１８の記録文言入力画面に、当該成長記録を記録しないことを指示するための「次へ」等の指示ボタンを設けて、子供等の身長、手形および／もしくは記録文言を通帳Ｐに印刷するようにしてもよい。
【００５５】
このようにすれば、図２６、図２７に示すように、通帳Ｐへの印刷は、顧客の要望に応じて、記録日毎に記録する成長記録を変更することや、一つの記録日に複数の成長記録を記録することが可能になる。
また、上記各実施例においては、成長記録の印刷は、取引履歴の印刷行の次行以降に印刷するとして説明したが、図２８に示すように、通帳Ｐに成長記録の専用ページを設けて記録日と成長記録をまとめて印刷するようにしてもよい。このようにすれば、取引履歴中に成長記録が印刷されることがなくなると共に、子供等の成長記録を一覧することが可能になる。
【００５６】
この場合に、成長記録の印刷を、図２９に示すように、通帳Ｐの見返しの余白部分に記録日と成長記録をまとめて印刷するようにしてもよい。このようにすれば、前記と同様の効果に加えて、通帳Ｐを繰越した場合に、過去の成長記録を継承することが可能になる。
更に、上記各実施例においては、通帳Ｐへの成長記録の印刷はモノクロで行うとして説明したが、赤色等の取引履歴の印刷色とは異なる色のインクを用いて印刷するようにしてもよい。このようにすれば、成長記録を強調して通常の取引履歴と区別することができ、成長記録を見易くすることが可能になる。
【００５７】
更に、上記各実施例においては、個人記録は、子供等の成長記録であるとして説明したが、個人記録は前記に限らず、顧客本人のイベント（第○回結婚記念日等）や自己に対するメッセージ文言等の記録であってもよく、配偶者や親戚等のイベントや対象者に対するメッセージ文言等の記録であってもよい。
【符号の説明】
【００５８】
１    現金自動預払機
１ａ  操作パネル
１ｂ  前面パネル
２    ホストコンピュータ
３    通信回線
５    主制御部
６    記憶部
７    操作表示部
７ａ  表示画面
８    カード取扱部
８ａ  カード挿入口
９    通帳取扱部
９ａ  通帳挿入口
１０  紙幣取扱部
１０ａ  紙幣入出金口
１１  硬貨取扱部
１１ａ  硬貨入出金口
１５  撮影部
１５ａ  画像フレーム
１６  基準位置
２１  掌生体情報取得部
２１ａ  入力部
【図１】
2015060577.tif 000003
【図２】
2015060577.tif 000004
【図３】
2015060577.tif 000005
【図４】
2015060577.tif 000006
【図５】
2015060577.tif 000007
【図６】
2015060577.tif 000008
【図７】
2015060577.tif 000009
【図８】
2015060577.tif 000010
【図９】
2015060577.tif 000011
【図１０】
2015060577.tif 000012
【図１１】
2015060577.tif 000013
【図１２】
2015060577.tif 000014
【図１３】
2015060577.tif 000015
【図１４】
2015060577.tif 000016
【図１５】
2015060577.tif 000017
【図１６】
2015060577.tif 000018
【図１７】
2015060577.tif 000019
【図１８】
2015060577.tif 000020
【図１９】
2015060577.tif 000021
【図２０】
2015060577.tif 000022
【図２１】
2015060577.tif 000023
【図２２】
2015060577.tif 000024
【図２３】
2015060577.tif 000025
【図２４】
2015060577.tif 000026
【図２５】
2015060577.tif 000027
【図２６】
2015060577.tif 000028
【図２７】
2015060577.tif 000029
【図２８】
2015060577.tif 000030
【図２９】
2015060577.tif 000031